(57)【要約】      （修正有）【課題】発光体同士の電気接続が容易に行えるとともに、電気接続物による照明光への影が抑制される管形発光ランプおよびこの管形発光ランプを具備する照明器具を提供する。【解決手段】管形発光ランプ１は、長手方向端側に一面１１ａと段差１４を有する凹段部１５が形成された長尺の基板１１、基板１１の一面１１ａ側に実装された半導体発光素子２および凹段部１５に配設されて半導体発光素子２に電気接続されたコネクタ１２を有する発光体３と、凹段部１５が基板１１の長手方向で対向し基板１１が隣接するように発光体３の複数個を取り付けている取付け体６と、隣接するコネクタ１２，１２同士を電気接続している電気接続手段７と、取付け体６および発光体３を収容している透光性の管体８と、半導体発光素子２に接続される給電用接触子を有し、管体８の端部に設けられた口金を具備している。【選択図】図５
2012248345.tif 000002
【特許請求の範囲】
【請求項１】
長手方向端側に一面と段差を有する凹段部が形成された長尺の基板、この基板の前記一面側に実装された半導体発光素子および前記凹段部に配設されて前記半導体発光素子に電気接続されたコネクタを有する発光体と；
前記凹段部が前記基板の長手方向で対向し前記基板が隣接するように前記発光体の複数個を取り付けている取付け体と；
隣接する前記コネクタ同士を電気接続している電気接続手段と；
前記取付け体および前記発光体を収容している透光性の管体と；
前記半導体発光素子に接続される給電用接触子を有し、前記管体の少なくとも一方の端部に設けられた口金と；
を具備していることを特徴とする管形発光ランプ。
【請求項２】
前記凹段部は、前記基板の角部に切り欠きされて形成されていることを特徴とする請求項１記載の管形発光ランプ。
【請求項３】
前記電気接続手段は、前記基板の長手方向に沿う側から前記コネクタに電気接続されることを特徴とする請求項１または２記載の管形発光ランプ。
【請求項４】
請求項１ないし３いずれか一記載の管形発光ランプと；
この管形発光ランプの口金が接続されるソケットを有する器具本体と；
前記管形発光ランプを点灯する点灯装置と；
を具備していることを特徴とする照明器具。
【発明の詳細な説明】
【技術分野】
【０００１】
本発明の一実施形態は、半導体発光素子を光源とする管形発光ランプおよびこの管形発光ランプを具備する照明器具に関する。
【背景技術】
【０００２】
オフィスなどの照明には、直管形蛍光ランプが使用されているが、近年、消費電力が小さく、発熱量が低く、長寿命であるＬＥＤを光源とする直管形ＬＥＤランプが使用されつつある。この直管形ＬＥＤランプは、長方形の基板に複数個のＬＥＤが列状に実装されてなる発光体（ＬＥＤモジュール）が円筒状のガラス管または合成樹脂管の内部に複数個並べられている。ＬＥＤは、基板に等間隔で実装されているとともに、隣接する基板間においても同等の間隔となるようにしている。
【０００３】
そして、隣接する発光体は、コネクタ等を用いて電気的に直列接続されている。例えば、基板のＬＥＤ実装面であって長手方向の一端部にオス型コネクタ、他端部にメス型コネクタがそれぞれ配置され、隣り合ったオス型コネクタとメス型コネクタとが接続されている（例えば特許文献１参照。）
【０００４】
また、基板のＬＥＤ実装面と反対側の背面であって長手方向の両端部に設けたソケットピンを用いて、隣接する発光体同士が接続されている（例えば特許文献２参照）。また、基板の長手方向の両端面にピン穴およびピンがそれぞれ設けられ、ピンをピン穴に嵌合することにより隣接する発光体同士を接続しているものがある（例えば特許文献３参照。）。
【先行技術文献】
【特許文献】
【０００５】
【特許文献１】特開２０１０−３６８３号公報（第９頁、第２図）
【特許文献２】特開２００６−１２８６０号公報（第１０頁、第８図）
【特許文献３】国際公開第２００９／１４５２４８号公報（段落番号００１８、第４図）
【発明の概要】
【発明が解決しようとする課題】
【０００６】
直管形ＬＥＤランプは、その長手方向に亘って略均一であって所定の光束の照明光を出射するために、ＬＥＤの実装間隔が小さくなっている。ここで、特許文献１に示すように、基板のＬＥＤ実装面にオス型コネクタおよびメス型コネクタがそれぞれ配置されると、当該コネクタは、ＬＥＤ実装面から相応の高さを有するので、ＬＥＤの放射光の一部がコネクタにより遮られて、照明光にコネクタの影が発生することがあった。
【０００７】
また、特許文献２に示すように、基板の背面にソケットピンが設けられると、基板の背面側に配設されるＬＥＤからの熱を熱伝導させる放熱部材との干渉を回避させる必要があり、放熱部材の形成が複雑になるという問題がある。また、特許文献３に示すように、基板の端面にピン穴およびピンが設けられると、基板の板厚が大きくなって基板が重量化し価格上昇するとともに、ＬＥＤとピン穴の端子およびピンとの電気接続が複雑になるという問題がある。
【０００８】
本発明は、発光体同士の電気接続が容易に行えるとともに、電気接続物による照明光への影が抑制される管形発光ランプおよびこの管形発光ランプを具備する照明器具を提供することを目的とする。
【課題を解決するための手段】
【０００９】
本発明の実施形態の管形発光ランプは、発光体、取付け体、電気接続手段、管体および口金を有して構成される。
【００１０】
発光体は、長尺の基板、この基板の一面側に実装された半導体発光素子およびコネクタを有してなる。基板の長手方向端側には、一面と段差を有する凹段部が形成されている。コネクタは、凹段部に配設されて半導体発光素子に電気接続されている。
【００１１】
取付け体は、複数個の発光体を取り付けている。このとき、基板の凹段部が基板の長手方向で対向し基板が隣接するように取り付けている。
【００１２】
電気接続手段は、隣接するコネクタ同士を電気接続する。
【００１３】
管体は、透光性を有し、取付け体および発光体を収容している。そして、口金は、半導体発光素子に接続される給電用接触子を有してなり、管体の少なくとも一方の端部に設けられる。
【発明の効果】
【００１４】
本発明の実施形態によれば、コネクタが基板の凹段部に配設されるので、基板の一面と凹段部との段差分、コネクタの基板の一面からの高さが低くなり、隣接する発光体の接続箇所における半導体発光素子からの放射光の一部がコネクタにより遮られることが抑制され、これにより、照明光へのコネクタによる影の発生が抑制できることが期待できる。
【図面の簡単な説明】
【００１５】
【図１】本発明の第１の実施形態を示す管形発光ランプの模式図である。
【図２】同じく、管形発光ランプの一部切り欠き概略正面図である。
【図３】同じく、管形発光ランプであり、（ａ）は概略左側面図、（ｂ）は概略右側面図である。
【図４】同じく、管形発光ランプの概略縦断面図である。
【図５】同じく、隣接する発光体の一部を示し、（ａ）は概略上面図、（ｂ）は概略正面図である。
【図６】同じく、他の管形発光ランプの隣接する発光体の一部を示す概略上面図である。
【図７】本発明の第２の実施形態を示す照明器具の概略斜視図である。
【図８】同じく、管形発光ランプが装着されていないときの照明器具の一部切り欠き概略側面図である。
【発明を実施するための形態】
【００１６】
以下、本発明の一実施の形態について、図面を参照して説明する。まず、本発明の第１の実施形態について説明する。
本実施形態の管形発光ランプ１は、図１ないし図６に示すように構成される。なお、各図において、同一部分には同一符号を付して重複した説明は省略する。
図１において、管形発光ランプ１は、発光ダイオード２を光源とする直管形ＬＥＤランプであり、発光体３，４，５、取付け体６、電気接続手段７、管体８および口金９，１０を有して構成されている。
【００１７】
発光体３，４，５は、直線上に並設されている。発光体３は、複数個（２個）であり、発光体４および発光体５は、それぞれ複数個の発光体３の両端側に設けられている。管形発光ランプ１の全長は、発光体３の数量を１個ないし複数個にすることによって設定可能となっている。
【００１８】
発光体３は、基板１１、半導体発光素子としての複数個の発光ダイオード２およびコネクタとしての雌コネクタ１２を有して形成されている。基板１１は、電気絶縁性のリジット基板であり、ガラスエポキシ材などの合成樹脂板からなり、長尺の長方形に形成されている。例えば、短手（幅）方向の寸法が２０ｍｍ、長手方向の寸法が２５０ｍｍの長方形に形成されている。また、基板１１の板厚は、例えば１．６ｍｍである。
【００１９】
発光ダイオード２は、例えば白色光を放射する表面実装型のＬＥＤパッケージからなり、基板１１の一面１１ａ側に実装されている。また、発光ダイオード２は、基板１１の短手方向の中央部において長手方向に沿って等間隔例えば７ｍｍで直線上に実装されている。
【００２０】
そして、隣接する発光ダイオード２，２同士と、基板１１の長手方向最端の発光ダイオード２および雌コネクタ１２の図示しない一方の端子とは、それぞれ基板１１の一面１１ａに形成された例えば銅箔からなる配線パターン１３により電気的に直列接続されている。また、基板１１の一面１１ａには、自己の基板１１に配設されている雌コネクタ１２，１２の図示しない他方の端子同士を電気接続する別の配線パターン１４が長手方向に沿って形成されている。
【００２１】
基板１１には、その長手方向両端側１１ｃ，１１ｄにそれぞれ凹段部１５，１５が形成されている。この凹段部１５，１５は、基板１１の長手方向に沿う直線上に位置するように形成されている。ここでは、基板１１の短手方向一端側にそれぞれ形成されている。
【００２２】
凹段部１５は、図５（ｂ）に示すように、基板１１の一面１１ａと例えば１ｍｍの段差１６を有する直方体形状に形成され、平面の底面１５ａを有している。また、凹段部１５は、図５（ａ）に示すように、基板１１の長手方向および短手方向のそれぞれの最端の角部に切り欠きされて形成され、基板１１の前記最端側が外部空間に開放されている。そして、凹段部１５に雌コネクタ１２が配設されている。
【００２３】
雌コネクタ１２は、凹段部１５の底面１５ａに例えば接着材により取り付けられている。そして、雌コネクタ１２は、基板１１の長手方向に沿う側から後述する電気接続手段７を接続するように配設されている。また、雌コネクタ１２は、図示しない一対の端子がリード線１７ａ，１７ｂにより基板１１の配線パターン１３，１４にそれぞれ電気接続されている。すなわち、雌コネクタ１２の一方の端子は、直列接続された発光ダイオード２に電気接続されている。
【００２４】
発光体４は、図１に示すように、その一端側４ａにおいて、基板１１の一面１１ａ側に入力用の雌コネクタ１８，１８が配設されている。そして、一方の雌コネクタ１８が配線パターン１３に接続され、他方の雌コネクタ１８が配線パターン１４に接続されている。発光体４の発光ダイオード２は、雌コネクタ１８，１８が配設されていることなどにより、発光体３よりも幾分少なくなっている。その他の構成は、発光体３と同様である。
【００２５】
また、発光体５は、他端側５ｂにおいて、配線パターン１３および配線パターン１４がジャンパー線２０により電気接続されている。発光体５は、他端側５ｂに発光ダイオード２が設けられていない分、発光ダイオード２の数量が発光体３よりも少なくなっている。その他の構成は、発光体３と同様である。
【００２６】
なお、基板１１は、熱伝導性を有する金属例えばアルミニウム（Ａｌ）で形成されてもよく、この場合、少なくとも一面１１ａに絶縁被膜などが形成される。また、基板１１は、そのものが絶縁性を有するセラミック板などで形成してもよい。
【００２７】
そして、発光体３，４，５は、取付け体６に取り付けられている。取付け体６は、軽量であって高熱伝導率を有する金属例えばアルミニウム（Ａｌ）からなり、略蒲鉾形に形成されている。すなわち、取付け体６は、図４に示すように、平面部６ａおよび後述する管体８の内面８ｂに沿う円弧状面６ｂを有する円弧状柱体に形成されている。そして、取付け体６は、その円弧状面６ｂが管体８の内面８ｂに載置するように設けられ、その平面部６ａに発光体３，４，５を取り付けている。
【００２８】
図１において、取付け体６は、その長手方向の両端側６ｃ，６ｄにそれぞれ発光体４，５が配設されるように、その平面部６ａに複数個の発光体３，４，５をそれぞれ複数個のねじ２１により取り付けている。各発光体３，４，５は、基板１１の一面１１ａと反対側の他面が取付け体６の平面部６ａに面接触している。ここで、各発光体３，４，５は、それらの基板１１に形成された凹段部１５が基板１１の長手方向（取付け体６の長手方向）で対向するように取り付けられている。また、発光体３，４，５は、基板１１がほぼ隙間なく隣接するように取り付けられている。すなわち、隣接する基板１１，１１の長手方向最端側の発光ダイオード２，２の間隔が基板１１での発光ダイオード２，２の間隔とほぼ同等となり、発光体３，４，５の放射光が取付け体６の長手方向で途切れることがないようにしている。
【００２９】
また、取付け体６は、その他端側６ｂにおいて、接地用の雌コネクタ１９が配設されている。この雌コネクタ１９の端子は、取付け体６の平面部６ａに面接触して電気接続されている。
【００３０】
電気接続手段７は、リード線２２およびこのリード線２２の両端に設けられた雄コネクタ２３，２３を有して構成されている。雄コネクタ２３は、基板１１の長手方向に沿う側から雌コネクタ１２に装着される。これにより、隣接する基板１１，１１の隣接する雌コネクタ１２，１２同士が電気接続手段７により電気接続される。そして、発光体３，４，５の発光ダイオード２は、発光体４の一端側４ａに設けられた雌コネクタ１８，１８間において電気的に直列接続される。
【００３１】
管体８は、透光性の合成樹脂例えばポリカーボネート（ＰＣ）樹脂からなり、例えば外径２５ｍｍ、肉厚１ｍｍの円筒状に形成されている。そして、その長手方向に亘って取付け体６および取付け体６に取り付けられた発光体３，４，５を収容している。
【００３２】
そして、管体８は、図４に示すように、発光体３，４，５の基板１１の一面１１ａが管体８の中心軸８ｃないし中心軸８ｃよりも正対する内面８ｂから幾分遠ざかる位置となるように収容している。すなわち、そのようになるように、取付け体６の大きさが形成されている。
【００３３】
口金９，１０は、図２に示すように、電気絶縁性の合成樹脂例えばポリブチレンテレフタレート（ＰＢＴ）樹脂からなり、管体８と同外径を有する有底の円筒状に成型され、それぞれ管体８の両端部８ｄ，８ｅに設けられている。そして、口金９は、一対の給電用接触子２４，２４を配設し、口金１０は、１個の接地用接触子２５を配設している。
口金９は、その底面９ｂの反対側の外底面９ａに平板状の固定部２６が突出するように設けられている。固定部２６は、図３（ａ）に示すにように、略長方形に形成され、外底面９ａの内側で外底面９ａの中央側に設けられている。一対の給電用接触子２４，２４は、例えば黄銅からなり、比較的肉厚の大きい略板状に形成されている。
そして、一対の給電用接触子２４，２４は、固定部２６の図示しない孔に圧入されて、口金９の底面９ｂ側に貫通するように取り付けられている。また、一対の給電用接触子２４，２４は、その先端側２４ａ，２４ａがＬ形となるように折り曲げられているとともに互いに遠ざかる方向となるようにして、固定部２６に取り付けられている。そして、図２に示すように、給電用接触子２４の後端側２４ｂは、幅小に形成されている。
また、口金９は、その底面９ｂに凹部２７およびこの凹部２７に連通する貫通孔２８を有するダボ２９を形成している。ダボ２９は、外底面９ａと反対側の開口端面９ｃと同一面となる位置まで延在して形成されている。凹部２７は、外底面９ａからねじ３０が挿入され、その頭部３０ａが入る大きさの円柱状に形成され、貫通孔２８は、ねじ３０のねじ部３０ｂが挿通可能な円柱状に形成されている。凹部２７および貫通孔２８は、図３（ａ）に示すように、一対設けられている。
図２において、口金１０は、口金９と同様に、その外底面１０ａに固定部２６を設け、その底面１０ｂにダボ２９を一対設けている。そして、固定部２６に接地用接触子２５を取り付けている点を除き、口金９と同様に形成されている。接地用接触子２５は、例えば黄銅からなり、略円柱状に形成され、図３（ｂ）に示すように、その先端側２５ａが略長方形に形成されている。
図２において、取付け体６の長手方向の両端面６ｅ，６ｆには、それぞれダボ２９の貫通孔２８に対応して設けられたねじ孔３１が形成されている。そして、管体８内に取付け体６を収容した状態で、口金９，１０のそれぞれの凹部２７からねじ３０がねじ孔３１に完全に螺着されている。これにより、取付け体６の端面６ｅと口金９の開口端面９ｃとが当接し、取付け体６の端面６ｆと口金１０の開口端面１０ｃとが当接して、管体８が口金９，１０により挟まれている。このとき、口金９，１０のそれぞれの外面９ｄ，１０ｄと、管体８の外面８ａとは、同一面状の外周面となっている。
そして、一対の給電用接触子２４，２４の後端部２４ｂ，２４ｂ（図２中、一方のみを示す。）には、それぞれ先端に雄コネクタ３２を有するリード線３３が例えばはんだ付けにより接続されている。雄コネクタ３２，３２は、発光体４の一端側４ａに設けられた一対の雌コネクタ１８，１８にそれぞれ接続されている。これにより、発光体３，４，５の発光ダイオード２は、一対の給電用接触子２４，２４に直列接続されている。
【００３４】
また、接地用接触子２５の後端部２５ｂには、先端に雄コネクタ３４を有するリード線３５が例えばはんだ付けにより接続されている。雄コネクタ３４は、取付け体６の他端側６ｂに設けられた雌コネクタ１９に接続されている。これにより、金属からなる取付け体６は、接地用接触子２５に電気接続されている。
【００３５】
なお、接地用接触子２５は、取付け体６に接地させなくてもよい。この場合、雌コネクタ１９および雄コネクタ３４を有するリード線３５を設けなくすることができる。すなわち、接地用接触子２５は、管形発光行ランプ１を一対の給電用接触子２４，２４と共に照明器具のソケットに支持するものであればよい。
【００３６】
こうして、電気接続手段７により発光ダイオード２が直列接続された発光体３，４，５を取り付けている取付け体６、この取付け体６を収容している管体８および口金９，１０が４本のねじ３０により組み立てられて、管形発光ランプ１が形成されている。
【００３７】
次に、本発明の第１の実施形態の作用について述べる。
【００３８】
管形発光ランプ１は、その一対の給電用接触子２４，２４に所定の電力が供給されると、発光体３，４，５の発光ダイオード２が点灯（発光）し、可視光例えば白色光を放射する。各発光体３，４，５から放射された白色光は、透光性の管体８を透過して外方に放射される。
【００３９】
各発光体３，４，５は、それらの基板１１が取付け体６の平面部６ａにほぼ隙間なく隣接して配設され、発光ダイオード２が取付け体６の長手方向に亘って等間隔で配設されているので、各発光体３，４，５からの放射光は、管体８の長手方向で途切れることなくほぼ均一に出射される。
【００４０】
そして、各発光体３，４，５の発光ダイオード２を電気接続するためのコネクタとしての雌コネクタ１２は、基板１１の一面１１ａと段差１６を有する凹段部１５に配設されているので、段差１６分、基板１１の一面１１ａからの突出長（上面までの高さ）が小さくなっている。これにより、発光ダイオード２の雌コネクタ１２側に向かう放射光であって、基板１１の一面１１ａに略沿う放射光および当該一面１１ａに対して斜め方向に放射される放射光は、雌コネクタ１２に遮られる割合が小さくなる。
【００４１】
また、隣接する基板１１，１１の隣接する雌コネクタ１２，１２同士を電気接続する電気接続手段７の雄コネクタ２３は、基板１１の長手方向に沿う側から雌コネクタ１２に装着されて電気接続されるので、電気接続手段７のリード線２２および雄コネクタ２３は、基板１１の一面１１ａからの位置が低いものとなっている。これにより、発光ダイオード２の電気接続手段７側に向かう放射光であって、基板１１の一面１１ａに略沿う放射光および当該一面１１ａに対して斜め方向に放射される放射光は、電気接続手段７に遮られる割合が小さくなる。
【００４２】
このように、発光ダイオード２から放射され、雌コネクタ１２および電気接続手段７側に向かう放射光は、雌コネクタ１２および電気接続手段７により遮られることが抑制される。これにより、管体８の長手方向に対して斜め方向に出射される発光ダイオード２からの放射光（照明光）に雌コネクタ１２および電気接続手段７による影の発生が抑制され、人に違和感などが生じにくくなる。
【００４３】
そして、雌コネクタ１２が配設される凹段部１５は、基板１１の角部に切り欠きされて形成されているので、管体８の直下側方向への照明光に雌コネクタ１２および電気接続手段７による影が発生することが防止される。
【００４４】
また、凹段部１５が基板１１の角部に形成されていることにより、凹段部１５の基板１１の短手方向最端側が外部側に開放されているので、電気接続手段７の雄コネクタ２３を雌コネクタ１２に接続しやすくなる。特に、雄コネクタ２３は、基板１１の長手方向に沿う側から雌コネクタ１２に電気接続されるので、雄コネクタ２３を基板１１の長手方向から雌コネクタ１２に接続しやすい。こうして、基板１１の凹段部１５に配設された雌コネクタ１２に電気接続手段７の雄コネクタ２３を装着することにより、発光体３，４，５同士の電気接続が容易に行える。
【００４５】
本実施形態によれば、管形発光ランプ１は、コネクタとしての雌コネクタ１２が基板１１の凹段部１５に配設されているので、基板１１の一面１１ａと凹段部１５との段差１６分、雌コネクタ１２の基板１１の一面１１ａからの高さが低くなり、隣接する発光体３，４，５の接続箇所における発光ダイオード２からの放射光の一部が雌コネクタ１２により遮られることが抑制されて、照明光への雌コネクタ１２による影の発生を抑制できるという効果を有する。
【００４６】
また、雌コネクタ１２に装着される電気接続手段７の雄コネクタ２３は、基板１１の長手方向に沿う側から雌コネクタ１２に電気接続されるので、電気接続手段７の基板１１の一面１１ａからの配設位置が低くなり、これにより、隣接する発光体３，４，５の接続箇所における発光ダイオード２からの放射光の一部が電気接続手段７により遮られることが抑制されて、照明光への電気接続手段７による影の発生を抑制できるという効果を有する。
【００４７】
そして、隣接する発光体３，４，５同士は、隣接する雌コネクタ１２，１２同士を電気接続手段７により電気接続することにより電気接続されるので、その電気接続が容易にできるという効果を有する。
【００４８】
また、雌コネクタ１２が配設される凹段部１５は、基板１１の角部に切り欠きされて形成されているので、基板１１の短手方向の最端側が開方されていることにより、電気接続手段７の雄コネクタ２３を雌コネクタ１２に容易に電気接続しやすいとともに、管体８の直下側方向への発光ダイオード２の放射光（照明光）に雌コネクタ１２および電気接続手段７による影が発生することを防止できるという効果を有する。
【００４９】
なお、発光体３は、半導体発光素子として発光ダイオード２に表面実装型のＬＥＤパッケージを用いたが、これに限らず、ＬＥＤチップを用いて形成してもよい。また、半導体発光素子として、有機エレクトロルミネセンス（ＥＬ）素子を用いてもよい。
【００５０】
そして、管体８は、一方の端部８ｄに一対の給電用接触子２４，２４および接地用接触子２５を有する口金を設け、他方の端部８ｅに取付け体６を固定する固定体を設けるようにしてもよい。すなわち、口金は、管体８の少なくとも一方の端部８ｄに設けられていればよい。また、管体８は、樹脂管に限らず、透光性のガラスを用いて形成してもよい。
【００５１】
また、凹段部１５は、基板１１の長手方向および短手方向のそれぞれの最端の角部に設けるに限らず、図６（ａ）に示すように、基板１１の一面１１ａの内側に凹部に形成されてもよい。そして、凹段部１５に配設される雌コネクタ１２は、電気接続手段７の雄コネクタ２３を基板１１の一面１１ａの直上側から装着するものであってもよい。この場合であっても、雌コネクタ１２の基板１１の一面１１ａからの突出長（上面までの高さ）が小さいことにより、雌コネクタ１２および電気接続手段７の基板１１の一面１１ａからの突出は、相応に小さく、発光ダイオード２の放射光を遮る割合が相応に低減されるものである。凹段部１５は、図６（ｂ）に示すように、切り込みにより形成されてもよい。
【００５２】
また、電気接続手段７は、雄コネクタ２３を有するリード線２２に限らす、例えば、一方の雌コネクタ１２をピン構造物に形成し、他方の雌コネクタ１２に電気接続するものであってもよい。
【００５３】
また、管形発光ランプ１は、その発光体３，４，５のそれぞれの基板１１が長方形に形成されているが、これに限らず、例えばそれらの基板１１を連なる円弧状形に形成し、管体８を２分割合体の円筒状の円弧状形（環形）にして、曲管形発光ランプに形成したものであってもよい。
【００５４】
次に、本発明の第２の実施形態について説明する。
図７および図８は、本発明の第３の実施形態を示し、図７は照明器具の概略斜視図、図８は管形発光ランプが装着されていないときの照明器具の一部切り欠き概略側面図である。なお、図２と同一部分には、同一符号を付して説明は省略する。
図８において、照明器具３６は、天井面に設置されるものであり、図２に示す管形発光ランプ１、器具本体３７および点灯装置３８を有して構成されている。器具本体３７は、冷間圧延鋼板等によって形成され、ソケット３９，４０を除いて従来の直管形蛍光ランプが装着される既知の構成を成している。そして、図７に示すように、器具本体３７は、ソケット３９，４０が一対設けられており、２個の管形発光ランプ１を配設している。
【００５５】
器具本体３７は、その長手方向の両端側３７ａ，３７ｂに２個の管形発光ランプ１が着脱されるソケット３９，４０を一対取り付けている。一方のソケット３９は、管形発光ランプ１の口金９に設けた一対の給電用接触子２４，２４が差し込まれて接続される構造に形成されている。また、他方のソケット４０は、管形発光ランプ１の口金１０に設けた１個の接地用接触子２５が差し込まれて接続される構造に形成されている。
【００５６】
そして、図８に示すように、器具本体３８は、天井面に図示しないねじ等により取り付けられる基台４１と、器具本体３８にねじ４２により固定された反射体４３を備えている。基台４１は、長形の略長方形に形成され、反射体４３は、長形であって長手方向と直交する断面が略五角形である箱状に形成されている。
【００５７】
点灯装置３８は、基台４１に取り付けられている。点灯装置３８は、図示しない入力線が外部の商用交流電源に接続されている。そして、図示しない一対の出力線が一方のソケット３９に接続され、図示しないアース線が他方のソケット４０に接続されている。こうして、点灯装置３８は、器具本体３７に配設されている。そして、点灯装置３８は、管形発光ランプ１に所定の電流を供給して、発光ダイオード２を点灯する既知の構成により形成されている。
【００５８】
本実施形態の照明器具３６は、発光体３，４，５を電気接続するコネクタとしての雌コネクタ１２および隣接する雌コネクタ１２，１２同士を電気接続する電気接続手段７が発光ダイオード２の放射光に影となることが抑制される管形発光ランプ１を具備するので、前記影の発生が抑制される略均一な照明光を器具本体３７の長手方向に亘って照射できるとともに、人に前記影による不快感などを与えにくくすることができるという効果を有する。
【符号の説明】
【００５９】
１…管形発光ランプとしての直管形ＬＥＤランプ、  ２…半導体発光素子としての発光ダイオード、  ３，４，５…発光体、  ６…取付け体、  ７…電気接続手段、  ８…管体、  ９，１０…口金、  １１…基板、  １２…コネクタとしての雌コネクタ、  １５…凹段部、  ２４…給電用接触子、  ３６…照明器具、  ３７…器具本体、  ３８…点灯装置、  ３９，４０…ソケット
【図１】
2012248345.tif 000003
【図２】
2012248345.tif 000004
【図３】
2012248345.tif 000005
【図４】
2012248345.tif 000006
【図５】
2012248345.tif 000007
【図６】
2012248345.tif 000008
【図７】
2012248345.tif 000009
【図８】
2012248345.tif 000010